(57)【要約】【課題】水分を吸水したタオルの表面から裏面に水分が浸透することにより、すぐにタオル全体の吸水力が低下し、使用感が不快になることを解決する、両面使えるタオルを提供する。【解決手段】重合する吸水性生地の相互間に、該相互間の水分の浸透を防止する、吸水性能が低く通気性が高い網目状生地を介在させて構成する。【選択図】　図１
2004141575.tif 000002
【特許請求の範囲】
【請求項１】
重合する吸水性生地の相互間に、該相互間の水分の浸透を防止する、吸水性能が低く通気性が高い網目状生地を介在させて構成することを特徴とする両面使えるタオル。
【請求項２】
前記吸水性生地は、従来のタオル生地を用い、前記網目状生地は、材料にポリエステルやナイロンを用い、網目の孔の大きさが網目形状に関わらず１ｍｍ〜１０ｍｍ四方程度に構成することを特徴とする請求項１に記載の両面使えるタオル。
【請求項３】
重合する前記吸収性生地と網目状生地との計２枚の生地を、その両端部において重合するまま折り返し、また、前記網目状生地に重合する別の１枚の前記吸収性生地の両端を、前記２枚の折り返し部を包み込むように折り返しつつ、その先端を更に内側に折り返して、前記２枚の折り返し部に重ね、それらの折り返し部にて重合する生地を縫製または接着すると共に、前記両端部に交わる他端部において、前記別の１枚の吸収性生地を、前記２枚の生地を包み込むように折り返しつつ、その先端を更に内側に折り返して、該折り返し部にて重合する生地を縫製または接着して構成することを特徴とする請求項１または請求項２に記載の両面使えるタオル。
【請求項４】
２枚の重合する前記吸収性生地の両端部を、２枚の折り返し部同士が対向するように内側に折り返し、前記２枚の吸収性生地の相互間に前記網目状生地を介在させて、それらの折り返し部にて重合する生地を縫製または接着すると共に、前記両端部に交わる他端部においても、前記２枚の吸収性生地の折り返し部同士が対向するように内側に折り返し、該折り返し部にて重合する生地を縫製または接着して構成することを特徴とする請求項１または請求項２に記載の両面使えるタオル。
【請求項５】
２枚の重合する前記吸収性生地を、１枚の吸収性生地を２つ折りにして構成することを特徴とする請求項１から請求項４のいずれか１項に記載の両面使えるタオル。
【請求項６】
通常のタオルの他に、手拭い、ハンカチ、布巾、涎掛け、前掛け、リストバンド、軍手として、前記吸水性生地は、従来のそれらと同じ生地を用い、該吸水性生地の相互間に前記網目状生地が介在して構成することを特徴とする請求項１から請求項５のいずれか１項に記載の両面使えるタオル。
【発明の詳細な説明】
【０００１】
【発明の属する技術分野】本発明は、水分や汗、唾液、及び油分等（以下まとめて水分）を吸収する機能が必要な、タオル、手拭い、ハンカチ、布巾、涎掛け、前掛け、リストバンド、軍手（以下まとめてタオル）を対象にした両面使えるタオルに関するものである。
【０００２】
【従来の技術】例えば入浴後、体に付着した水分をタオルで拭き取る場合、先に髪の毛の水分をタオルの片面で拭き取ると、タオルの表面の水分はすぐに裏面にまで浸透し、次に体の水分を拭く時には、タオルに乾いた部分が無いため、吸水性が悪い上に不快であった。
【０００３】次に、先行技術文献情報としては、タオル生地に沿って透水性能の低い難透水層を形成したタオルが提案されている（特許文献１参照）。
【０００４】また、タオル生地の相互間に、水分の移行を阻止する防水シートを介在させたタオルが提案されている（特許文献２参照）。
【０００５】
【特許文献１】特開平８−１３１３６０号公報
【特許文献２】特開平９−２７６１７６号公報
【０００６】
【発明が解決しようとする課題】そのために、従来のタオルには、次のような問題があった。
（イ）水分を吸水した表面から裏面に水分が短時間で浸透する。
（ロ）よって、すぐにタオル全体の吸水力が低下し、使用感が不快になる。
（ハ）よって、水分を吸収するのに時間がかかり大変である。
（ニ）水分吸収のために、より多くの又は、より大きく厚いタオルが必要になり、タオルの保管や洗濯、携帯の面でも不便である。
（ホ）油分や汚水を吸収した場合に、手が汚れる。
【０００７】次に、
【特許文献１】と
【特許文献２】の前記公報は、それぞれ構成部材である難透水層と防水シート（以下まとめて防水シート）に、共通の次の問題があった。
（ヘ）通気性が悪いため、タオル生地が乾き難い。
（ト）よって、タオルに細菌が発生し易く、不潔である。
（チ）洗濯後の回転式脱水において、回転中心側の防水シート面に水分が残り、脱水出来ない。
（リ）タオル生地並の柔軟性が無いため、使用感がゴワゴワして不快である。
（ヌ）合成樹脂系の防水シート材料は、搾ったり、引っ張ったり、洗剤や漂白剤に浸されたり、車内やスチームの高温にさらされたりするのに対する、品質維持が困難。
（ル）浴用タオルとしての使用において、泡立てた石鹸液が、防水シートに遮断されて、タオルの両面に行き渡らない上、泡立ちも悪く、不便である。
（ヲ）以上の問題点を解決するタオルを安価に作成する。
これらのため、前記従来技術は実用化されていない。本発明は、上記の問題を解決するためになされたものである。
【０００８】
【課題を解決するための手段】請求項１記載の発明に係る両面使えるタオルは、重合する吸水性生地の相互間に、該吸水性生地の相互間の水分の浸透を防止する、吸水性能が低く通気性が高い網目状生地を介在させるように構成したものである。
【０００９】このような請求項１記載の発明によれば、吸水性能の低い網目状生地により、一方の吸水性生地から吸収された水分が、付設する他方の吸水性生地に接触しないため、該水分が他方の吸水性生地まで浸透するのを防ぐことが出来る。更に、前記網目状生地は、通気性が高い上に吸水性生地の相互間に空気の層を構成するため、速乾性と保温力が高まる等の作用を得ることが出来る。
【００１０】請求項２記載の発明に係る両面使えるタオルは、前記吸水性生地には従来のタオル生地を用い、前記網目状生地は、材料にポリエステルやナイロンを用い、網目の孔の大きさは、網目形状に関わらず１ｍｍ〜１０ｍｍ四方程度になるように構成したものである。
【００１１】このような請求項２記載の発明によれば、前記
【０００９】段落の作用を満たす柔軟で丈夫なタオルを、安価に作成出来る。
【００１２】請求項３記載の発明に係る両面使えるタオルは、重合する前記吸収性生地と網目状生地との計２枚の生地を、その両端部において重合したまま略コの字状に折り返す。また、前記網目状生地に重合する別の１枚の前記吸収性生地の両端を、前記２枚の略コの字状の折り返し部を包み込むように略コの字状に折り返しつつ、その先端を更に略コの字状に内側に折り返して、前記２枚の略コの字状の折り返し部に重ね、それらの折り返し部にて重合する生地を縫製または接着する。そして、前記両端部に交わる他端部において、前記別の１枚の吸収性生地を、前記２枚の生地を包み込むように略コの字状に折り返しつつ、その先端を更に略コの字状に内側に折り返して、該折り返し部にて重合する生地を縫製または接着するように構成したものである。
【００１３】このような請求項３記載の発明によれば、前記
【０００９】、
【００１１】段落の作用を満たすタオルを、現実的に安価に作成出来る。
【００１４】請求項４記載の発明に係る両面使えるタオルは、２枚の重合する前記吸収性生地の両端部を、２枚の折り返し部同士が対向するように内側に略コの字状に折り返し、前記２枚の吸収性生地の相互間に前記網目状生地を介在させて、それらの折り返し部にて重合する生地を縫製または接着する。そして、前記両端部に交わる他端部においても、前記２枚の吸収性生地の折り返し部同士が対向するように内側に略コの字状に折り返し、該折り返し部にて重合する生地を縫製または接着するように構成したものである。
【００１５】このような請求項４記載の発明によれば、前記
【０００９】、
【００１１】段落の作用を満たすタオルを、現実的に安価に作成出来る。また、網目状生地をあえて外周部に露出することにより、消費者にその機能をアピールすることが出来る。
【００１６】請求項５記載の発明に係る両面使えるタオルは、２枚の重合する前記吸収性生地を、１枚の吸収性生地を２つ折りにして構成するようにしたものである。
【００１７】このような請求項５記載の発明によれば、前記
【０００９】、
【００１１】段落の作用を満たすタオルを、現実的により安価に作成出来る。
【００１８】請求項６記載の発明に係る両面使えるタオルは、通常のタオルの用途の他に、手拭い、ハンカチ、布巾、涎掛け、前掛け、リストバンド、軍手として、前記吸水性生地には、従来のそれらと同じ生地を用い、該吸水性生地の相互間に前記網目状生地を介在させるように構成したものである。
【００１９】このような請求項６記載の発明によれば、タオルの他に、手拭い、ハンカチ、布巾、涎掛け、前掛け（エプロン）、リストバンド、軍手として、前
記
【０００９】、
【００１１】段落の作用を満たす物を、現実的に安価に作成出来る。
【００２０】
【発明の実施の形態】以下、本発明の実施の形態について説明する。
（実施の形態１）図１〜図３は本発明の実施の形態１による両面使えるタオルの例を示す図であり、図１は、タオルの構成の概要を示す斜視図、図２は、その完成状態を示す正面図、図３（ａ）〜（ｃ）は、それぞれ図２の断面ＡＡ、断面ＢＢ、断面ＣＣにおける断面図である。先ず、図１に示すように、実施の形態１のタオルは、重合する一対の吸水性生地１ａ、１ｂの相互間に、吸水性能が低く通気性が高い網目状生地２が介在するように構成したものである。そして、前記吸水性生地１ａ、１ｂには従来のパイル生地等のタオル生地を用い、前記網目状生地２は、材料にポリエステルやナイロンを用い、網目の孔の大きさが網目形状に関わらず１ｍｍ〜１０ｍｍ四方程度になるように構成したものである。ここで、前記網目状生地２を成す糸の直径は、強度上０．５〜１．０ｍｍ程度となり、それで吸水性パイル生地間の水分の浸透を防ぎ、且つ通気性が高い機能を満足する網目の孔の大きさは、前記１ｍｍ〜１０ｍｍ四方程度になる。
【００２１】更に、構成を詳細説明する。図２、図３において、重合する前記吸収性生地１ｂと網目状生地２との計２枚の生地を、その両端部３ａ近辺において、２枚が重合したまま略コの字状に折り返す。この時、前記吸収性生地１ｂと網目状生地２の略コの字状に折り返す向きが異なっても構わない。また、前記網目状生地２に重合する別の１枚の吸収性生地１ａの両端部３ａを、前記２枚の生地（吸収性生地１ｂと網目状生地２）の略コの字状の折り返し部を包み込むように略コの字状に折り返しつつ、その先端を更に略コの字状に内側に折り返して、前記２枚の生地（吸収性生地１ｂと網目状生地２）の略コの字状の折り返し部に重ね、それらの折り返し部である両端部３ａにて重合する全ての生地を縫製または接着する。そして、前記両端部３ａ近辺に交わる他端部３ｂ近辺において、前記吸収性生地１ａを、前記２枚の生地（吸収性生地１ｂと網目状生地２）を包み込むように略コの字状に折り返しつつ、その先端を更に略コの字状に内側に折り返して、他端部３ｂにて重合する全ての生地を縫製または接着するように構成したものである。また、耐久性向上や型崩れ防止のために、重合する生地を縫製または接着する箇所をタオルの端部以外にステッチ３ｃとして、任意の位置に施しても良い。尚、前記吸水性生地１ａ、１ｂが、パイル生地の起毛によって縫製または接着が困難な場合は、該当部を、起毛無しの平織りとする。更に、前記吸水性生地１ａ、１ｂと網目状生地２に、抗菌作用の高い生地を使用しても良い。更に前記吸水性生地１ａと１ｂとを色や柄違いにしても良い。
【００２２】（実施の形態１の作用）一方の吸水性生地から吸収された水分が、吸水性能の低い網目状生地２により、付設する他方の吸水性生地に接するのを阻止するため、他方の吸水性生地に水分が浸透するのを防ぐことが出来る。よって、油分や汚水を吸収した場合にも手が汚れないで済む。また、網目状生地２は、通気性が高い上、吸水性生地１ａ、１ｂの相互間に空気の層を形成するために、速乾性が高くなり、従って抗菌、防臭性能に優れ清潔である。そして、抗菌作用の高い生地を使用することにより、更に抗菌、防臭性能を高められる。また、浴用のタオルとして身体洗浄時に石鹸液を塗布して使用する場合、前記の網目状生地２の多くの網目の空気の層に、多くの石鹸油膜が形成されるため、木目細かく豊かな泡立ちがタオル全体に拡がり、その使用感が心地良く、また石鹸液を洗い流す際の泡切れも良好である。更に、前記の空気の層によって、タオルの保温、断熱力が高くなるため、膝掛けや布団、衣服等の防寒用途としても優れた機能を発揮する。しかも、洗濯に対しては、前記の網目状生地２が水分を抵抗無く透過するために、容易に汚れが落ち、回転式脱水においても問題無い。
【００２３】また、ポリエステル製の前記網目状生地２は、レースのカーテンのように柔軟で丈夫なため、タオルとしての柔らかな使用感も損なわずに、より長持ちして使える。更に、前記ステッチ３ｃを、任意の位置に施すことにより、前記網目状生地２の丈夫さを活かし、耐久性向上や型崩れ防止を図ることが出来る。また、前記吸水性生地１ａと１ｂとを色や柄違いにすることにより、タオルの表面と裏面に様々な色、柄、絵模様を様々な組み合わせで表現することが可能になり、楽しさとファッション性の向上を図ることが出来る。以上、前記実施の形態１の作用が得られるタオルを、現実的に安価に作成することが出来る。
【００２４】（実施の形態２）図４は、本発明の実施の形態２による両面使えるタオルの例を示す図であり、図４（ａ）〜（ｃ）は、それぞれ図２の断面ＡＡ、断面ＢＢ、断面ＣＣにおける断面図である。この実施の形態２は、前記実施の形態１に対し、下記の点で相違しているが、その他の点では同様に構成されている。実施の形態２のタオルは、２枚の重合する吸収性生地１ａ、１ｂの両端部３ａを、２枚の折り返し部同士が対向するように、内側に略コの字状に折り返し、前記２枚の吸収性生地１ａ、１ｂの相互間に網目状生地２を介在させて、前記折り返し部である両端部３ａにて、重合する生地の全てを縫製または接着する。
そして、前記両端部３ａ近辺に交わる他端部３ｂにおいても、前記網目状生地２を介在させた吸収性生地１ａ、１ｂを、それぞれの折り返し部同士が対向するように内側に略コの字状に折り返し、該折り返し部である他端部３ｂにて重合する全ての生地を縫製または接着するように構成したものである。この時、タオルの外周部の吸収性生地１ａ、１ｂの相互間に存在する網目状生地２を、あえて外周部を縁取るようにタオルの外周に露出し、前記の吸水性生地１ａと１ｂとを色や柄違いにするのと同様に、外周に露出した網目状生地２に色や柄を加えても良い。
【００２５】（実施の形態２の作用）構成生地の折り返しが少ない分、前記実施の形態１の作用が得られるタオルを、現実的に、より容易に安価に作成することが出来る。また、網目状生地２をあえて外周部に露出することにより、消費者（使用者）にその機能を分かり易くアピールすることが出来る。更に、網目状生地２に色や柄を加えることにより、タオルの表面と裏面、及びその外周に露出した網目状生地２に様々な色、柄、絵模様を様々な組み合わせで表現することが可能になり、楽しさとファッション性の向上を図ることが出来る。
【００２６】（実施の形態３）図５は、本発明の実施の形態３による両面使えるタオルの例を示す図であり、タオルの構成の概要を示す斜視図ある。この実施の形態３は、前記実施の形態１、２に対し、下記の点で相違しているが、その他の点では同様に構成されている。実施の形態３のタオルは、２枚の重合する吸収性生地を、１枚の吸収性生地１を２つ折りにすることにより構成したものである。尚、２つ折り部以外の端部における、それぞれの生地の折り返し構造は、図３（実施の形態１）、図４（実施の形態２）に示す完成状態図のどちらでも良い。
【００２７】（実施の形態３の作用）前期２つ折りによって構成される部分の吸収性生地１の材料取り、折り返し、および縫製または接着の各作業のコストを削減出来る分、前記実施の形態１の作用が得られるタオルを、現実的に、より容易に安価に作成出来る。
【００２８】（実施の形態４）この実施の形態４は、前記実施の形態１〜３に対し、下記の点で相違しているが、その他の点では同様に構成されている。実施の形態４のタオルは、タオルの用途の他に、手拭い、ハンカチ、布巾、涎掛け、前掛け（エプロン）、リストバンド、軍手として、前記吸水性生地１ａ、１ｂには、従来のそれらと同じ生地を用い、該吸水性生地１ａ、１ｂの相互間に前記網目状生地２を介在させるように構成したものである。
【００２９】（実施の形態４の作用）タオルの他に、手拭い、ハンカチ、布巾、涎掛け、前掛け（エプロン）、リストバンド、軍手としても、前記実施の形態１〜３の作用を満たす物を現実的に安価に作成出来る。
【００３０】
【発明の効果】以上により、本発明は下記の効果を得ることが出来る。
（イ）水分を吸水した表面から裏面に水分が浸透するのを防止出来る。
（ロ）よって、タオルの片面使用後、残りの片面を心地良いドライ感のまま、使用可能である。
（ハ）タオルの吸水力を効率的に利用可能なため、水分の拭き取り時間を短縮出来る。
（ニ）従来に対し、より少ない又は、より小さく薄いタオルで水分吸収が可能になるため、タオルの保管や洗濯、携帯の面でも便利になる。
（ホ）油分や汚水を吸収した場合にも手が汚れない。
（ヘ）通気性が良いため、速乾性が高い。
（ト）よって、抗菌、防臭性能に優れ清潔である。
（チ）洗濯後の回転式脱水においても、網目状生地が水分を抵抗無く透過するため、効率的に脱水出来る。
（リ）網目状生地がタオル生地並の柔軟性を持つため、使用感が心地良い。
（ヌ）網目状生地は、丈夫な上に、搾ったり、引っ張ったり、洗剤や漂白剤に浸されたり、車内やスチームの高温にさらされても問題無く、タオルの寿命が長くなる。
（ル）浴用の身体洗浄タオルとしても、泡立てた石鹸液が、網目状生地で油膜を形成して豊かに泡立ち、タオルの両面に行き渡るため、快適で便利である。（ヲ）網目状生地をあえてタオルの外周部に露出することにより、消費者（使用者）にその機能を分かり易くアピールすることが出来る。
（ワ）タオルの表面と裏面または、その外周に露出した網目状生地に様々な色、柄、絵模様を様々な組み合わせで表現することが可能になり、楽しさとファッション性の向上を図ることが出来る。
（カ）保温、断熱力が高いため、膝掛けや布団、衣服等の防寒用途としても優れた機能を発揮する。
（ヨ）その他に、手拭い、ハンカチ、布巾、涎掛け、前掛け（エプロン）、リストバンド、軍手としても、前記（イ）〜（カ）の効果を活かす物を作成出来る。
（タ）以上の（イ）〜（ヨ）の効果を、容易な構成で安価に作成出来る。
【図面の簡単な説明】
【図１】本発明による実施の形態１の構成の概要を示す斜視図である。
【図２】本発明による実施の形態１の完成状態を示す正面図である。
【図３】本発明による実施の形態１の完成状態を示す断面図で、図３（ａ）〜（ｃ）は、それぞれ図２の断面ＡＡ、断面ＢＢ、断面ＣＣにおける断面図である。
【図４】本発明による実施の形態２の完成状態を示す断面図で、図４（ａ）〜（ｃ）は、それぞれ図２の断面ＡＡ、断面ＢＢ、断面ＣＣにおける断面図である。
【図５】本発明による実施の形態３の構成の概要を示す斜視図である。
【符号の説明】
１　　吸水性生地
１ａ　吸水性生地
１ｂ　吸水性生地
２　　網目状生地
３ａ　両端部
３ｂ　他端部
３ｃ　ステッチ
【図１】
2004141575.tif 000003
【図２】
2004141575.tif 000004
【図３】
2004141575.tif 000005
【図４】
2004141575.tif 000006
【図５】
2004141575.tif 000007